(57)【要約】【課題】利用者でない者によりごみなどが投入口内に投げ込まれることを防止できると同時に、開閉扉が閉じられている状態でも、投入口内を良好に視認することができ、また、利便性も良好である自動精米設備を提供する。【解決手段】仕切壁１により仕切られた客室３および機械室４と、利用者が被処理米を投入する投入口４０と、上下方向にスライド可能に配設され、投入口４０へ連通する連通開口部を開閉する開閉扉４４と、を備え、開閉扉４４に、透光性を有して投入口４０の内部を視認可能な透光板４８が設けられ、連通開口部を開閉扉４４により閉じた際に、透光板４８が、この透光板４８の下方側ほど大きく客室３側に延びる傾斜姿勢となるように、開閉扉４４が配設されている。【選択図】図９
2014061474.tif 000002
【特許請求の範囲】
【請求項１】
投入された被処理米に対して精米処理を行う自動精米設備であって、
仕切壁により仕切られた客室および機械室と、
利用者が被処理米を投入する投入口と、
上下方向にスライド可能に配設され、前記投入口へ連通する連通開口部を開閉する開閉扉と、
を備え、
前記開閉扉に、透光性を有して投入口内部を視認可能な透光板が設けられ、
前記連通開口部を前記開閉扉により閉じた際に、前記透光板が、この透光板の下方側ほど大きく客室側に延びる傾斜姿勢となるように、前記開閉扉が配設されている
ことを特徴とする自動精米設備。
【請求項２】
前記投入口の少なくとも一部が前記仕切壁よりも客室側に突出されて配設されていることを特徴とする請求項１に記載の自動精米設備。
【請求項３】
開閉扉における透光板が配設されている部分を、前記開閉扉が下方にスライドされた際に客室側に案内して移動させる開閉扉傾斜案内部と、
開閉扉における透光板が設けられている部分よりも上方の箇所に形成されて、客室側に折曲可能な折曲部と、
が設けられていることを特徴とする請求項１または２に記載の自動精米設備。
【請求項４】
被処理米を収容した収容袋を載せることが可能な載台が客室側に突出した姿勢で配設され、前記載台における左右の少なくとも一方の辺が、平面視して手前側ほど横幅が小さくなるように傾斜または切欠かれていることを特徴とする請求項１〜３の何れか１項に記載の自動精米設備。
【発明の詳細な説明】
【技術分野】
【０００１】
本発明は利用者が投入した被処理米に対して自動的に精米処理を行う自動精米設備に関する。
【背景技術】
【０００２】
コイン（硬貨）や紙幣などの貨幣を投入することにより自動的に精米作業を行わせる、コイン式精米機などとも称せられる自動精米設備は、既に広く知られている。この自動精米設備は、建屋の内部が、仕切壁により、利用客が自由に行き来できる客室と、管理者や保守点検員などの限定した人しか入ることができない機械室とに仕切られている。そして、機械室内に、利用者が投入した被処理米から石などの異物を除去する石抜機や、実際に精米動作を行う精米機などが配設されている。
【０００３】
従来の自動精米設備では、精米対象となる被処理米（玄米など）が投入される投入ホッパ（張込ホッパとも称せられる）や、精米した被処理米（白米）を排出する白米ホッパなどが、客室に臨んで開放された状態（客室に露出した状態）で配設されている（特許文献１、２等）。そして、前記投入ホッパの上面に開口された投入口から利用者が被処理米を投入するとともに、貨幣を投入することで、自動精米設備が稼動されて、被処理米が、機械室の内部に設けられた昇降機などの搬送装置を介して、石抜機や精米機に順次送られて精米されるよう構成されている。
【０００４】
しかし、この種の自動精米設備を人口が密集した都会などに設置した場合には、利用客以外の多数の人が自動精米設備の近くを通行することとなるため、客室に露出した投入口内に、一部の人がごみなどを投げ込むおそれがある。この場合には、投げ込まれたごみの一部が前記網などを通り抜けて被処理米と混じって処理される場合があるため、内部の搬送用通路や精米機、石抜機などの処理装置が不衛生となったり、前記処理装置が損傷（例えば、異物が詰まって精米機内の精米用ロールなどを損傷することがある）したり、ごみに含まれていたものが白米に混じったりするおそれ（不具合）がある。
【０００５】
このような不具合を解消する構造として、図１８〜図２０に示すように、投入口１０１に連通する連通開口部１０６（図２０参照）を開閉する開閉扉１０２を上下にスライド自在に配設した自動精米設備が、特許文献３等に開示されている。この自動精米設備では、利用者により貨幣が投入されるまでは、開閉扉１０２を閉じて投入口１０１が客室側に露出しない状態とし、利用者により貨幣が投入されると開閉扉１０２が開けられ、精米処理が終わると開閉扉１０２を閉じられるよう構成されている。
【０００６】
この構成によれば、自動精米設備を利用しない場合には、開閉扉１０２が閉じられているので、利用者でない者によりごみなどが投入口１０１内に投げ込まれることを防止でき、これにより、ごみなどの内部の侵入による上記不具合を防止できる。
【０００７】
なお、開閉扉１０２は、図２０に示すように、客室１０４と機械室１０５とを仕切る仕切壁１０３に沿うように形成されて投入口１０１へ連通する連通開口部１０６において上下にスライドするよう構成されている。図１８に示すように、開閉扉１０２の下部には、投入口１０１の内部を視認できるように確認用窓部が設けられて、この確認用窓部に、透光性を有する透光板１０７が、開閉扉１０２に沿った鉛直姿勢で配設されている。
【先行技術文献】
【特許文献】
【０００８】
【特許文献１】特開平１０−１８０１２４号公報
【特許文献２】特開平９−２７６７２１号公報
【特許文献３】特開２００４−１４５５５６号公報
【発明の概要】
【発明が解決しようとする課題】
【０００９】
しかしながら、図１８〜図２０に示す自動精米設備においては、開閉扉１０２が閉じられた状態において、透光板１０７が鉛直姿勢で配設されているため、透光板１０７を正面側から見ると連通開口部１０６の奥側の背面部分はよく見えるが、投入口１０１の内部については見え難い場合があった。また、投入口１０１内をよく見るために、透光板１０７を斜め上方から見ようとすると、顔を開閉扉１０２における透光板１０７の上方箇所に近づけなければならず、不便である課題もあった。
【００１０】
また、図１８〜図２０に示す自動精米設備では、図１９、図２０に示すように、投入口１０１の全ての領域が仕切壁１０３よりも奥側（機械室１０５側）に配設されているため、利用客が被処理米を投入する際に、被処理米を収容した収容袋などを仕切壁１０よりも奥側の投入口１０１まで差し入れた状態で上下にひっくり返さなければ（逆さにしなければ）ならず、利用者への負担が大きくなって、利便性が低下するおそれがあった。
【００１１】
本発明は上記課題を解決するもので、利用者でない者によりごみなどが投入口内に投げ込まれることを防止できると同時に、開閉扉が閉じられている状態でも、投入口内を良好に視認することができ、また、利便性も良好である自動精米設備を提供することを目的とするものである。
【課題を解決するための手段】
【００１２】
上記課題を解決するために本発明は、投入された被処理米に対して精米処理を行う自動精米設備であって、仕切壁により仕切られた客室および機械室と、利用者が被処理米を投入する投入口と、上下方向にスライド可能に配設され、前記投入口へ連通する連通開口部を開閉する開閉扉と、を備え、前記開閉扉に、透光性を有して投入口内部を視認可能な透光板が設けられ、前記連通開口部を前記開閉扉により閉じた際に、前記透光板が、この透光板の下方側ほど大きく客室側に延びる傾斜姿勢となるように、前記開閉扉が配設されていることを特徴とする。
【００１３】
この構成によれば、開閉扉により連通開口部を閉じた際に、前記開閉扉の透光板が、透光板の下方側ほど大きく客室側に延びる傾斜姿勢となるよう配設されているので、前記透光板に対して略直交するように斜め下方に見ることで、前記開閉扉の透光板を通して、投入口内を良好に視認することができる。
【００１４】
また、本発明は、前記投入口の少なくとも一部が前記仕切壁よりも客室側に突出されて配設されていることを特徴とする。この構成により、被処理米を投入口に投入する際に、被処理米を収容した収容袋などを奥側（機械室側）に移動させる距離が少なくて済み、利用者への負担を軽減できて利便性が向上する。
【００１５】
また、本発明は、開閉扉における透光板が配設されている部分を、前記開閉扉が下方にスライドされた際に、客室側に案内して移動させる開閉扉傾斜案内部と、開閉扉における透光板が設けられている部分よりも上方の箇所に形成されて、客室側に折曲可能な折曲部と、を設けたことを特徴とする。
【００１６】
この構成により、開閉扉を上下方向にスライド可能に配設する構成に、開閉扉傾斜案内部と折曲部とを加えるだけの比較的簡単な構成で、前記連通開口部を前記開閉扉により閉じた際に、前記透光板を、この透光板の下方側ほど大きく客室側に延びる傾斜姿勢となるように配設することができる。
【００１７】
また、本発明は、被処理米を収容した収容袋を載せることが可能な載台が客室側に突出した姿勢で配設され、前記載台における左右の少なくとも一方の辺が、平面視して手前側ほど横幅が小さくなるように傾斜または切欠かれていることを特徴とする。
【００１８】
この構成により、前記載台における左右の少なくとも一方の辺が、単に手前側に延びた形状の場合と比較して、利用客が被処理米を投入口に投入する際に投入口に近づくことができて、利便性が向上する。
【発明の効果】
【００１９】
以上のように本発明によれば、開閉扉により連通開口部を閉じた際に、前記開閉扉の透光板が、透光板の下方側ほど大きく客室側に延びる傾斜姿勢となるよう配設することにより、前記開閉扉の透光板を通して、投入口内を良好に視認することができる。これにより、利用者でない者によりごみなどが投入口内に投げ込まれることを防止できると同時に、開閉扉が閉じられている状態でも、投入口内を良好に視認することができる。したがって、被処理米の投入前に投入口内の状態を視認することができて、前の利用者等が残した被処理米を予め確認したり、投入口内の衛生状態を予め確認したりすることが可能となる。
【００２０】
また、投入口の少なくとも一部を仕切壁よりも客室側に突出させて配設させることで、被処理米を投入口に投入する際の利用者の負担を軽減できて利便性を向上させることができる。また、開閉扉における透光板が配設されている部分を、前記開閉扉が下方にスライドされた際に客室側に案内して移動させる開閉扉傾斜案内部と、開閉扉における透光板が設けられている部分よりも上方の箇所に形成されて客室側に折曲可能な折曲部と、を設けることにより、比較的簡単な構成で、連通開口部を開閉扉により閉じた際に、前記透光板をこの透光板の下方側ほど大きく客室側に延びる傾斜姿勢となるように構成することができて、製造コストの増加を最小限に抑えることができる。
【００２１】
また、被処理米を収容した収容袋を載せることが可能な載台を客室側に突出した姿勢で配設し、前記載台における左右の少なくとも一方の辺を、平面視して手前側ほど横幅が小さくなるように傾斜または切欠くことにより、利用客が被処理米を投入口に投入する際に、利用客が投入口に近づくことができて、利便性が向上する。
【図面の簡単な説明】
【００２２】
【図１】本発明の実施の形態に係る自動精米設備の正面図である。但し、利用客が出入りする出入口扉を省いた状態で示している。
【図２】同自動精米設備の平面図である。
【図３】図２のIII、IV−III、IV線矢視側面図であり、開閉扉が閉じられている状態を示す。
【図４】図２のIII、IV−III、IV線矢視側面図であり、開閉扉が開けられている状態を示す。
【図５】図２のV−V線矢視側面図である。
【図６】同自動精米設備において被処理米を処理する構成を概略的に示す図である。
【図７】同自動精米設備の精米機の正面断面図で、開度規制部材により精米室が閉じられている状態を示す。
【図８】同自動精米設備の精米機の正面断面図で、開度規制部材により精米室が開けられている状態を示す。
【図９】同自動精米設備の開閉扉とその近傍箇所の構成を示す側面断面図であり、開閉扉が閉じられている状態を示す。
【図１０】同自動精米設備の開閉扉とその近傍箇所の構成を示す側面断面図であり、開閉扉が閉じられている状態を示す。
【図１１】同自動精米設備の開閉扉とその近傍箇所の構成を示す正面図であり、開閉扉が閉じられている状態を示す。
【図１２】同自動精米設備の開閉扉とその近傍箇所の構成を示す側面断面図であり、開閉扉（連通開口部）が一部開けられている状態を示す。
【図１３】同自動精米設備の開閉扉とその近傍箇所の構成を示す側面断面図であり、開閉扉（連通開口部）が一部開けられている状態を示す。
【図１４】同自動精米設備の開閉扉とその近傍箇所の構成を示す側面断面図であり、開閉扉が開けられている状態を示す。
【図１５】同自動精米設備の開閉扉とその近傍箇所の構成を示す側面断面図であり、開閉扉が開けられている状態を示す。
【図１６】同自動精米設備の投入ホッパおよび載台やその近傍箇所の平面図である。
【図１７】同実施の形態の変形例を示す自動精米設備の投入ホッパおよび載台やその近傍箇所の平面図である。
【図１８】従来の自動精米設備の正面図である。
【図１９】同従来の自動精米設備の平面図である。
【図２０】同従来の自動精米設備の側面断面図である。
【発明を実施するための形態】
【００２３】
以下、本発明の実施の形態にかかる自動精米設備を図面に基づき説明する。
図１〜図６などに示すように、この自動精米設備においても、仕切壁１により建屋２の内部が、利用客が自由に出入りできる客室３と、係員や管理人などが出入り可能な機械室４とに仕切られた構造とされている。なお、図１における５Ａは精米済みの白米を収容する白米の収容袋、図２〜図４における５Ｂは玄米などの被処理米を収納する被処理米の収容袋、６は客室３への出入口に配設されている出入口扉、７は係員や管理人などが出入りする管理用扉である。なお、被処理米の収容袋５Ｂを白米の収容袋５Ａとして兼用する場合もある。
【００２４】
機械室４には、被処理米（玄米）が投入される投入ホッパ８の本体枠部分、投入ホッパ８内に投入された被処理米を石抜機９側に搬送する張込昇降機１０、投入された被処理米から石などの異物を取り除く石抜機９、石抜機９で異物が取り除かれた被処理米を精米機１１側に搬送する精米昇降機１２、実際に精米処理を行う精米機１１、精米機１１で発生した糠を糠回収袋１３側に排出するための糠排出用送風機１４や糠排出用ダクト１５Ａ、１５Ｂ、糠排出用サイクロン１６、精米された白米を溜める白米ホッパ１９などが配設されている。また、機械室４内における精米機１１の略上方箇所に、精米機１１へ供給する被処理米を一時的に溜める精米タンク１７が配置され、さらに、石抜機９の上方に、石抜機９へ供給する被処理米が一時的に溜められるとともにこの被処理米から、わらなどの夾雑物が除去される夾雑物除去装置としても用いられる玄米タンク１８が配設されている。
【００２５】
精米機１１は、図７、図８に示すような構造とされている。すなわち、玄米供給用モータ３５により回転される供給用スクリュ２９によって、被処理米（玄米）が供給用ケーシング３０を通して、縦方向に配置された本体ケーシング２１内の精米室２７内に送り込まれる。精米室２７内では、駆動モータ２０（図６参照）により駆動プーリ２５を介して中空の回転軸２２が回転されており、中空の回転軸２２の上部に取り付けられた送りロール２３によって被処理米（玄米）が精米室２７内の下方に送られつつ、回転軸２２の下方寄り箇所に取り付けられた精米ロール２４と、これより所定距離外周側に離れた網２６（精米室２７の外殻部分をなす）との間で被処理同士が搗精されて（摺りあわされて）精米あされる。また、網２６内の糠は糠排出部２８を介して空気とともに糠排出用送風機１４により吸引して糠回収袋１３内に排出される。
【００２６】
なお、図示しないが、糠排出用送風機１４は送風ケーシング内で送風羽根が糠排出用モータによって回転される。また、本体ケーシング２１の下端部には、精米室２７からの開度を調節することで精米の際の圧力などを調整する開度規制部材３１と、この開度規制部材３１と精米ロール２４との間から排出される白米を下方に案内する排出筒３２とが、それぞれ昇降自在に嵌合されている。そして、精米ロール２４を駆動させる駆動モータ２０の電力量などから精米ロール２４の負荷（精米状態の負荷）を検出しながら、開度調整用モータ３３を作動させることで、開度調整用アーム３４を介して開度規制部材３１の上下位置を変えて、利用者が選択した精米白度に合った白度の米が得られるように白度制御が行われる。なお、図７、図８における３３は開度調整用モータ、３６は開度調整用モータ３３に連結されたねじ軸に螺合して昇降される開度調整用ブロック、３７は、開度調整用ブロック３６によりその下方への押圧力が調整される付勢ばねである。
【００２７】
図３、図４、図９、図１０などに示すように、投入ホッパ８の上面開口部分である投入口４０の上方箇所には、仕切壁１から機械室４側（奥側）に窪むように一体形成されてなる投入フード４１が設けられ、この投入フード４１によって投入空間部４２が形成されている。そして、この投入空間部４２を介して投入口４０が客室３に連通するとともに開口するように配設されている。なお、この実施の形態では、投入口４０に、大きな異物が中に入らないように金属製の網が取り付けられている。
【００２８】
図４、図９、図１２〜図１５などに示すように、この自動精米設備においては、投入口４０に臨む投入空間部４２と客室３内の空間とが、連通開口部４３を介して連通され、この連通開口部４３が、図３、図４、図９〜図１５などに示すように、上下方向にスライド可能に配設された開閉扉４４によって開閉される。ここで、開閉扉４４は、水平方向に延びる軸心部を中心として蝶番（ヒンジ）状に接続された折曲部４７を介して、上下に二分割されており、中央部から上部をなす開閉扉本体４５と、開閉扉４４の下部をなす開閉扉下部４６とから構成されている。また、開閉扉下部４６には、投入口４０（投入ホッパ８）の内部を視認できるように確認用窓部が貫通して形成されており、この確認用窓部に、透光性を有する透光板４８が配設されている。
【００２９】
ここで、この自動精米設備では、投入口４０および投入ホッパ８の前部が仕切壁１よりも客室３側に突出されて配設されている。また、これに対応して、開閉扉４４が完全に閉じられた状態で、透光板４８が設けられている開閉扉下部４６が、下方側ほど大きく客室３側に延びる傾斜姿勢となるように配設されている。
【００３０】
詳しく述べると、開閉扉４４は、連通開口部４３を閉鎖する閉鎖姿勢（閉じられている状態であり、図３、図９、図１０、および図１１の実線部参照）と、この閉鎖姿勢より上方に移動して連通開口部４３を開放する開放姿勢（開けられている状態であり、図４、図１４、図１５、および図１１の仮想線部ならびに、一部開けられている状態については図１２、図１３参照）とにわたって昇降する。そして、開閉扉４４により連通開口部４３を全て開放した時には、開閉扉４４が仕切壁１に沿った鉛直姿勢となるように配置されている。一方、開閉扉４４により連通開口部４３を全て閉鎖した時には、開閉扉本体４５は鉛直面に沿った姿勢となるように配置されているが、透光板４８が設けられている開閉扉下部４６は、その下方側部分ほど大きく客室３側に延びる傾斜姿勢となるように配設されている。図９、図１１、図１２、図１４に示すように、開閉扉本体４５の両側部における上端部近傍箇所と下端部近傍箇所には、それぞれ本体案内用ガイドローラ５３が転動自在に取り付けられている。また、開閉扉下部４６の両側部における下端部近傍箇所には、下部案内用ガイドローラ５４が転動自在に取り付けられている。
【００３１】
図１１などに示すように、仕切壁１の裏面における開閉扉４４の移動範囲の左右の側部には上下に延びる縦支持枠５１がそれぞれ固着されている。そして、これらの縦支持枠５１における連通開口部４３の上部両側部から上方に延びるように、本体案内用ガイドローラ５３および下部案内用ガイドローラ５４に摺接して開閉扉４４を昇降自在に案内する開閉扉垂直案内部５２がそれぞれ取り付けられている。また、図１２〜図１５などに示すように、投入フード４１における連通開口部４３の下部両側部箇所には、仕切壁１から前方（客室３側）に向けて略板状に突出する突出支持部４１ａが形成されており、この突出支持板部４１ａも、その下方側部分ほど大きく客室３側に延びる傾斜姿勢となるように形成されている。そして、この突出支持板部４１ａの内側に、下部案内用ガイドローラ５４に摺接する開閉扉傾斜案内部５５が溝状に窪んで形成され、この開閉扉傾斜案内部５５により、開閉扉４４における透光板４８が配設されている部分を、開閉扉４４が下方にスライドされた際に客室３側に案内して移動させるよう構成されている。
【００３２】
また、図２〜図４、図９〜図１５などに示すように、被処理米を収容した収容袋５Ｂを載せることが可能な載台５０が、投入ホッパ８の上部よりもさらに客室３側に突出した姿勢で配設されている。ここで、図２、図１６などに示すように、この載台５０における客室３の中央寄りの辺である左辺部５０ａは、平面視して手前側ほど横幅が小さくなるように傾斜されている。すなわち、この実施の形態では、載台５０の左辺部５０ａが手前側ほど右側に寄るように傾斜された略台形状とされている。これにより、利用者が、収容袋５Ｂを載台５０に載せた状態で、投入ホッパ８の投入口４０に、より近づけるよう構成されている。
【００３３】
また、図３、図４、図９〜図１５に示すように、開閉扉４４の上辺部には、開閉扉４４を、この開閉扉４４の重量と略同じ力で引上げるための引上げ用チェーン６２の下端部が固定されているとともに、開閉扉４４を昇降させるためのループ状の昇降用チェーン６１の一部が固定されている。
【００３４】
引上げ用チェーン６２には、機械室４の天井部近傍箇所に取り付けられた、中間スプロケット６８、６９を介して、他端部に、開閉扉４４と略同様の重さのカウンタウェイト７１が取り付けられている。そして、このカウンタウェイト７１の重量が、開閉扉４４に対して引上げ方向に作用することで、開閉扉４４の重量とカウンタウェイト７１の重量とが釣り合い、昇降用チェーン６１が移動されていない状態では、開閉扉４４はその位置が変動しないように図られているとともに、後述する比較的小さな駆動力の昇降用モータ６５の力で支障無く開閉扉４４を昇降できるように構成されている。
【００３５】
また、昇降用チェーン６１は、投入フード４１の天面部上側に回転自在に支承された従動スプロケット６４と、仕切壁１の裏面上端部に取り付けられた減速機構付きの昇降用モータ６５により回転される駆動スプロケット６６との間で、上下に循環するようにループ状に配置されている。そして、昇降用モータ７５で駆動スプロケット７６が回転駆動されることにより、開閉扉４４が昇降するように構成されている。
【００３６】
また、図１、図５などに示すように、客室３に臨む仕切壁１の略中央箇所（仕切壁１を正面視した場合には精米機１１の下方の箇所）には、精米した被処理米を溜める白米ホッパ１９が配設され、客室３の床面上における白米ホッパ１９の下方近傍箇所には、白米ホッパ１９の開閉シャッタを開閉する足踏み式の踏み台１９ａが配設されている。また、白米ホッパ１９や精米機１１の側方（客室３側から仕切壁１に向かって左側）には、その前面部が客室３に臨むように操作制御盤７２が配設されている。操作制御盤７２の前面部には、精米処理料金としてのコインを投入するコイン投入口７２ａや、精白度（例えば、５ぶ、７ぶ、普通、上白など）を選択する複数の精白度選択ボタン７２ｂなどが設けられている。操作制御盤７２の内部には、コインの投入の検知や精白度選択ボタン７２ｂの選択などに応じて各部分を制御する制御部７３（図２参照）が内蔵されている。
【００３７】
そして、この制御部７３により、コイン投入口７２ａからコインが投入されたことを検知した時点で、開閉扉４４が開放姿勢に移動されて開けられるようになっている。なお、客室３内の目立つ箇所には、案内表示板（図示せず）が取り付けられ、コインの投入により、開閉扉４４が自動的に開けられることなどを示す案内表示が記載されている。また、操作制御盤７２の一部にはスピーカなどの音声発生手段７２ｃが設けられ、制御部７３に設けられた記憶部には、利用者などへの案内メッセージが記憶されている。
【００３８】
また、図１〜図５に示すように、建屋２の客室３の一部、例えば、客室３内の出入口扉が設けられている箇所の上方に、客室３内の利用者の有無を検知する（例えば人体より発せられる赤外線の有無などにより検知する）人検知センサ７７が設けられている。そして、精米機１１の精米処理が終了した信号を制御部７３が認識し、その後さらに、利用者が客室３から出て、客室３内に人がいないことが人検知センサ７７により検知され、この検知信号を制御部７３が認識してから、開閉扉４４が自動的に閉じられるように構成されている。
【００３９】
上記構成において、利用者などが建屋２の客室３内にいない状態では、開閉扉４４が閉じられるので、利用者でない者などによってごみなどが投入口４０内に投げ込まれることが防止される。したがって、これに起因する不具合、すなわち、被処理米が導入される内部の搬送通路や精米機１１、石抜機９などの内部の処理装置が不潔となったり、これらの装置が損傷したり、ごみに含まれていたものが白米に混じったりする不具合を防止することができる。この結果、精米機１１、石抜機９などの処理装置などが衛生的に維持されるとともに、前記処理装置の損傷が防止され、信頼性が向上する。
【００４０】
一方、利用者が建屋２の客室３内に入ると、人検知センサ７７が、利用者などが入ってきたことを検知し、料金（コイン）の投入を促す音声が出力される。この場合に、利用者が被処理米を入れた収容袋５Ｂを持ち込んで、精米しようとした際に、予め、投入口４０内の状態を見て、投入口４０内に前の利用者の被処理米が残っていないことや不衛生でないことを予め確かめたい場合がある。この際、図１７〜図１９に示すような従来の自動精米設備では、透光板１０７が鉛直姿勢で配設されているため、透光板１０７を正面側から見ても投入口１０１の内部については見え難い場合があった。
【００４１】
これに対して、本実施の形態の自動精米設備によれば、開閉扉４４により連通開口部４３を閉じた際に、開閉扉４４の透光板４８が、透光板４８の下方側ほど大きく客室３側に延びる傾斜姿勢となるよう配設されているので、利用者は、開閉扉４４の透光板４８に対して略直交するように斜め下方に見ることで、透光板４８を通して、投入口４０内を良好に視認することができる。したがって、被処理米の投入前に投入口４０内の状態を予め視認することができて、前の利用者等が残した被処理米がないかどうか確認したり、投入口４０内の衛生状態を確認したりすることが可能となり、信頼性が向上する。
【００４２】
なお、このようにして、投入口４０内を確認した後、利用者がコイン投入口７２ａからコインなどの精米料金を投入すると、この料金の投入が検知されて、制御部７３により昇降用モータ７５が駆動されて開閉扉４４が自動的に開けられる。これに対応して、利用者により被処理米を、投入空間部４２を通して投入口４０内に投入し、何れかの精白度選択ボタン７２ｂが選択されて精白度（例えば、５ぶ、７ぶ、普通、上白など）が決定されると、精米処理が開始される。
【００４３】
ここで、本実施の形態では、投入口４０および投入ホッパ８の前部が仕切壁１よりも客室３側に突出されて配設されている。これにより、利用者により被処理米を投入口４０内に投入する際に、従来の自動精米設備のように投入口の全ての領域が仕切壁よりも奥側（機械室側）に配設されている場合と比較して、被処理米を収容している収容袋５Ｂを奥側（機械室４側）まで持ち込まなくても済む。この結果、被処理米を投入口４０に投入する際の利用者の負担を軽減できて利便性を向上させることができる。
【００４４】
また、載台５０の左辺部５０ａを、平面視して手前側ほど横幅が小さくなるように傾斜させたことにより、利用客が被処理米を投入口に投入する際に、利用客が一層、投入口４０に近づくことができる。これにより、利用者の負担をさらに軽減できて利便性をより向上させることができる。
【００４５】
なお、コインが投入されるとともに何れかの精白度選択ボタン７２ｂが選択されると、張込昇降機１０および石抜機９が駆動されて異物除去動作が行われ、引き続き、精米昇降機１２および精米機１１が駆動されて精米処理が行われる。精米処理が終了した際には、白米が白米ホッパ１９内に排出されているので、利用者が白米ホッパ１９の下方に白米の収容袋５Ａを置いた状態で、足踏み式の踏み台１９ａを踏んで、白米の収容袋５Ａ内に白米を回収する。
【００４６】
この後、白米を回収した利用者が、客室３を出ると、この利用客が出たことが人検知センサ７７に検知される。そして、人検知センサ７７からの信号を入力した制御部７３により、昇降用モータ７５が駆動されて開閉扉４４が下限位置（閉鎖位置）に達するまで閉鎖姿勢側に移動されて自動的に閉じられる。なお、この実施の形態においては、音声により、開閉扉４４が自動的に閉じられることもアナウンスされる。
【００４７】
上記したように、本構成によれば、開閉扉４４により連通開口部４３を閉じた際に、開閉扉４４の透光板４８が下方側ほど大きく客室３側に延びる傾斜姿勢となるよう配設されているので、投入口４０内を良好に視認することができる。また、上記構成によれば、開閉扉４４を上下方向にスライド可能に配設する構成に、開閉扉４４を開閉扉本体４５と開閉扉下部４６とに分割してこれらを折曲部４７で接続し、閉鎖時に開閉扉下部４６を案内する開閉扉傾斜案内部５５を設けただけの比較的簡単な構成で、開閉扉下部４６に設けられた透光板４８を、下方側ほど大きく客室側に延びる傾斜姿勢となるように良好に、かつ製造コストの増加を最小限に抑えながら配設することができる。すなわち、開閉扉４４を比較的簡単な構造とすることができるので、製造コストの増加も抑えることができる。
【００４８】
なお、上記実施の形態では、載台５０の一方の辺（本実施の形態では左辺部５０ａ）を、平面視して手前側ほど横幅が小さくなるように傾斜させた場合を述べたが、これに限るものではなく、図１７に示すように、左辺部５０ａの一部（左辺部５０ａ全体でもよい）を、平面視して手前側ほど横幅が小さくなるように切欠いてもよい。また、載台５０の位置によっては、載台５０の右辺を傾斜または切欠いたり、載台５０の左右の辺を傾斜または切欠いたりしてもよい。
【００４９】
また、上記実施の形態では、被処理米が玄米である場合を述べたが、これに限るものではなく、籾摺装置を備えて、投入口に投入される被処理米が籾である自動精米設備にも適用できることはもちろんである。
【符号の説明】
【００５０】
１      仕切壁
２      建屋
３      客室
４      機械室
８      投入ホッパ
９      石抜機
１１    精米機
１７    精米タンク
１８    玄米タンク
１９    白米ホッパ
４０    投入口
４１    投入フード
４２    投入空間部
４３    連通開口部
４４    開閉扉
４５    開閉扉本体
４６    開閉扉下部
４７    折曲部
４８    透光板
５０    載台
５３    本体案内用ガイドローラ
５４    下部案内用ガイドローラ
５２    開閉扉垂直案内部
５５    開閉扉傾斜案内部
【図１】
2014061474.tif 000003
【図２】
2014061474.tif 000004
【図３】
2014061474.tif 000005
【図４】
2014061474.tif 000006
【図５】
2014061474.tif 000007
【図６】
2014061474.tif 000008
【図７】
2014061474.tif 000009
【図８】
2014061474.tif 000010
【図９】
2014061474.tif 000011
【図１０】
2014061474.tif 000012
【図１１】
2014061474.tif 000013
【図１２】
2014061474.tif 000014
【図１３】
2014061474.tif 000015
【図１４】
2014061474.tif 000016
【図１５】
2014061474.tif 000017
【図１６】
2014061474.tif 000018
【図１７】
2014061474.tif 000019
【図１８】
2014061474.tif 000020
【図１９】
2014061474.tif 000021
【図２０】
2014061474.tif 000022